(57)【要約】      （修正有）【課題】花卉や果物・野菜等を収容した箱を荷受けして梱包して出荷する集出荷施設において、装置の数を減らし、また、配置方法を工夫することで、施設の設置面積をコンパクトにする。【解決手段】出荷物を収容する箱ｈを搬送する搬送コンベア２の途中に出荷用搬送コンベア１０を備え、前記搬送コンベア２の搬送終端側には箱ｈに収容している出荷物を検査するための検査用搬送コンベア３を接続し、荷受時には前記搬送コンベア２で搬送している箱ｈを前記検査用搬送コンベア３に搬送すると共に、出荷時には前記搬送コンベア２で搬送されている箱ｈを前記出荷用搬送コンベア１０に搬送する選択手段を設けたことで、荷受時おいても出荷時においても共通の搬送コンベア２を用いる。【選択図】図１
2007320698.tif 000002
【特許請求の範囲】
【請求項１】
出荷物を収容する箱（ｈ）を搬送する搬送コンベア（２）の途中に出荷用搬送コンベア（１０）を備え、前記搬送コンベア（２）の搬送終端側には箱（ｈ）に収容している出荷物を検査するための検査用搬送コンベア（３）を接続し、荷受時には前記搬送コンベア（２）で搬送している箱（ｈ）を前記検査用搬送コンベア（３）に搬送すると共に、出荷時には前記搬送コンベア（２）で搬送されている箱（ｈ）を前記出荷用搬送コンベア（１０）に搬送する選択手段を設けたことを特徴とする集出荷施設。
【請求項２】
出荷用搬送コンベア（１０）はその搬送方向が搬送コンベア（２）の搬送方向と交差する方向に複数配置し、検査用搬送コンベア（３）はその搬送方向（ｘ）が前記搬送コンベア（２）の搬送方向（ｖ）と反対側に配置し、検査用搬送コンベア（３）と前記搬送コンベア（２）とは平面視略コ字型に配置することを特徴とする請求項１記載の集出荷施設。
【請求項３】
搬送コンベア（２）及び検査用搬送コンベア（３）は平面視で長方形状の箱（ｈ）を搬送するものであって、前記搬送コンベア（２）の幅は箱（ｈ）の長手方向の幅（Ｍ）と略同じ幅に形成すると共に、検査用搬送コンベア（３）の幅は箱（ｈ）の短手方向の幅（Ｎ）と略同じ幅に形成することを特徴とする請求項１又は請求項2記載の集出荷施設。
【発明の詳細な説明】
【技術分野】
【０００１】
本発明は花卉や果物・野菜等を収容した箱を荷受けして梱包して出荷する集出荷施設に関する。
【背景技術】
【０００２】
特許文献1には果実や野菜を収容した箱を荷受けし、箱の内部を検査して梱包し出荷する集出荷施設について記載されている。
【特許文献１】特開平７−３２３９１９号公報
【発明の開示】
【発明が解決しようとする課題】
【０００３】
特許文献1においては、荷受用コンベア、検査用コンベア、出荷用コンベアと備えており、スペースを要するものであった。本発明は装置の数を減らし、また、配置方法を工夫することで、施設の設置面積をコンパクトにすることを課題とする。
【課題を解決するための手段】
【０００４】
本発明は、上記課題を解決するために以下のような技術的手段を講じた。
すなわち、請求項１記載の発明は、出荷物を収容する箱（ｈ）を搬送する搬送コンベア（２）の途中に出荷用搬送コンベア（１０）を備え、前記搬送コンベア（２）の搬送終端側には箱（ｈ）に収容している出荷物を検査するための検査用搬送コンベア（３）を接続し、荷受時には前記搬送コンベア（２）で搬送している箱（ｈ）を前記検査用搬送コンベア（３）に搬送すると共に、出荷時には前記搬送コンベア（２）で搬送されている箱（ｈ）を前記出荷用搬送コンベア（１０）に搬送する選択手段を設けたことを特徴とする集出荷施設とする。
【０００５】
請求項２記載の発明は、出荷用搬送コンベア（１０）はその搬送方向が搬送コンベア（２）の搬送方向と交差する方向に複数配置し、検査用搬送コンベア（３）はその搬送方向（ｘ）が前記搬送コンベア（２）の搬送方向（ｖ）と反対側に配置し、検査用搬送コンベア（３）と前記搬送コンベア（２）とは平面視略コ字型に配置することを特徴とする請求項１記載の集出荷施設とする。
【０００６】
請求項3記載の発明は、搬送コンベア（２）及び検査用搬送コンベア（３）は平面視で長方形状の箱（ｈ）を搬送するものであって、前記搬送コンベア（２）の幅は箱（ｈ）の長手方向の幅（Ｍ）と略同じ幅に形成すると共に、検査用搬送コンベア（３）の幅は箱（ｈ）の短手方向の幅（Ｎ）と略同じ幅に形成することを特徴とする請求項１又は請求項2記載の集出荷施設とする。
【発明の効果】
【０００７】
請求項１記載の発明によると、荷受時おいても出荷時においても共通の搬送コンベア２を用いることができるため、施設内の装置の数を減らし、コンパクトなスペースに設置することができる。
【０００８】
請求項２記載の発明によると、狭い設置面積に集中して搬送コンベア２と検査用搬送コンベア３と出荷用搬送コンベア１０とを設けることができる。また、出荷用搬送コンベア１０の設置間隔を広くすることができ、出荷作業をしやすくすることができる。
【０００９】
請求項３記載の発明によると、搬送コンベア２には短い距離に多くの箱ｈを載置することが可能になり、荷受作業や出荷作業の作業能率を向上させることが可能になる。また、箱ｈ内の花卉ｆの状態を時間をかけて目視することができるため、等級等の誤認識を低減することができる。
【発明を実施するための最良の形態】
【００１０】
発明を実施するための最良の形態として生産者が持ち込んだ花卉を収容した箱を検査して出荷する花卉集出荷施設の場合について説明する。なお、本実施の形態の説明では図１の施設の長手方向を左右方向、長手方向と交差する方向を前後方向と記載する。
【００１１】
図１は平面から見た花卉集出荷施設を示す図で、施設には施設の装置各部を制御する集中制御盤を備える操作室Ａ、生産者が持ち込んだ花卉ｆを収容した箱ｈを荷受する荷受場Ｂと荷受けした箱ｈに収容されている花卉ｆの品質を検査する検査場Ｃと、花卉ｆを収容した箱ｈを保管するための保管室Ｄと、花卉ｆを収容した箱ｈを出荷する出荷場Ｅとを備えている。
【００１２】
次に荷受けから出荷までの各装置について作業工程順序に沿って説明する。
花卉ｆの生産者はそれぞれ育てた花卉ｆを箱ｈに収容し、梱包していない状態の箱ｈを荷受場Ｂに持ち込む。そして、搬送コンベア２の載置部２ａに箱ｈを載置すると箱ｈは順次搬送され、搬送コンベア２の搬送途中に備える荷受用バーコード読み取り機１１で、箱ｈに貼っている荷受用バーコードｋの情報、すなわち、生産者及び花卉の種類等の情報を読み取り、その読み取った情報に基づいて搬送コンベア２の選別部２ｃから複数の検査用搬送コンベア３の何れかに選別搬送される構成である。なお、荷受用バーコード読み取り機１１で読み込む荷受用バーコードｋは生産者が施設に持ち込む際に貼ったものである。
【００１３】
検査用搬送コンベア３は複数並列して構成され、例えば花卉の品種毎に応じて使用する搬送コンベアが決められる。検査用搬送コンベア３の途中で、箱ｈの重量を重量測定機４で測定され、検査者Ｐが箱ｈに収容されている花卉ｆの状態を目視して等級等の情報あるいは出荷先の情報をパソコン等の入力装置５に入力する。そして、検査者Ｐが検査し終わった箱ｈは梱包装置６で梱包部材６ａにより梱包され、出荷用バーコード貼り付け機７で検査場Ｃで検査された情報及び出荷先の情報が入っている出荷用バーコードｊを荷受用バーコードｋに重ねて貼り付ける構成である。
【００１４】
そして、さらに検査用搬送コンベア３を搬送された箱ｈはその搬送終端側に備える台車積込部３ａで台車ｒに積み込まれ、保管室Ｄまで運搬されて出荷日まで保管室Ｄに保管される。保管室Ｄは温度調節可能な倉庫であり、本実施の形態では冷蔵状態にして花卉ｆを保存させている。
【００１５】
保管室Ｄに保管された箱ｈは出荷日になると、保管室Ｄから出され、台車ｒで搬送コンベア２まで運搬され、再度搬送コンベア２の載置部２ａに載置され、順次搬送される。そして、載置部２ａに備える印字装置８で花卉の品種等の情報の印字８ａが箱ｈに印字されると共に、出荷用バーコード読み取り機９で出荷用バーコードｊの情報を読み取り、その読み取り情報に基づき、搬送コンベア２の搬送部２ｂを経由して出荷場Ｅに備える複数の出荷用搬送コンベア１０の内の何れか、例えば出荷先に応じて適宜搬送される構成である。
【００１６】
次に各装置の構成・配置について説明する。
搬送コンベア２は前述の通り、荷受時の箱ｈの搬送と出荷時の箱ｈの搬送を共用するコンベアであり、搬送コンベア２の載置部２ａは施設中央部の荷受場Ｂに前後方向に配置し、搬送コンベア２の搬送部２ｂは施設左右方向に配置する。
【００１７】
搬送コンベア２の途中には出荷用搬送コンベア１０が前後方向、すなわち搬送コンベア２の搬送部２ｂの搬送方向ｖと交差する方向に複数並列して配置している。そして、切替装置１４の切り替えにより搬送コンベア２で搬送される箱ｈを出荷用搬送コンベア１０に搬送される構成である。なお、出荷用搬送コンベア１０は搬送終端側１０ａを伸縮可能な構成であり、出荷の際には伸ばして多数の箱ｈを載置できることで出荷作業をしやすくすることができると共に、出荷作業をしないときには縮めることでスペースを作り出し別の作業を行なえるようにしている。
【００１８】
搬送コンベア２の搬送部２ｂの終端部には荷受用バーコード読み取り機１１を設けると共に終端側からは施設後方向に向かって選別部２ｃを設けており、選別部２ｃから検査用搬送コンベア３を複数並列して備える構成である。選別部２ｃの搬送方向は施設後側に向かって搬送されるように設け、検査用搬送コンベア３の搬送方向ｘは、搬送コンベア２の搬送方向ｖと反対の方向になるよう構成している。すなわち、検査用搬送コンベア３は搬送コンベア２の搬送方向一側にあって搬送コンベア２とは並列して配置すると共に、出荷用搬送コンベア１０は搬送コンベア２の搬送方向他側にあって搬送コンベア２とは交差して設けることで平面視方形の建屋ｇ内に有効にスペースを使用することができる配置としている。また、出荷用搬送コンベア１０の設置間隔ｗを広く取ることができるため出荷作業を行ないやすくすることができる。また、選別部２ｃには検査用搬送コンベア３毎に切替装置１６を設けており、荷受用バーコード読み取り機１１の読み取り情報に基づき切替装置１６が作動し適宜検査用搬送コンベア３に搬送されるようになっている。
【００１９】
なお、本実施の形態の複数の検査用搬送コンベア３の内一本については搬送終端部に印字装置１５を設けており、保管室Ｄに保管することなく梱包した花卉ｆの箱ｈを台車積込部３ａから即日出荷できる構成としている。
【００２０】
保管室Ｄは施設の左右方向一側で、且つ検査用搬送コンベア３の搬送終端側に配置している。そのため、搬送コンベア２の載置部２ａを出荷用搬送コンベア１０と保管室Ｄとの間に配置されると共に、台車積込部３ａを検査用搬送コンベア３と保管室Ｄ間に配置することになるため、台車積込部３ａと保管室Ｄ及び載置部２ａと保管室Ｄとの距離が短くなるため、検査が終了して梱包された箱ｈを台車ｒに積み込んで保管室Ｄに運搬する保管作業及び出荷日に保管室Ｄから箱ｈを取り出して載置部２ａまで運搬する出荷作業について、迅速な出荷作業を行なうことができる。また、保管室Ｄと載置部２ａ及び台車積込部３ａとの間には装置・部材を設置しなくても良いため、台車ｒで運搬中に障害物が無く保管作業及び出荷作業を円滑に行なうことができる構成としている。
【００２１】
次に、搬送コンベア２と検査用搬送コンベア３のベルトの幅について説明する。搬送コンベア２のベルト幅は箱ｈの長手側の幅Ｍと略同じに形成している。すなわち、箱ｈの長手側を搬送コンベア２の搬送方向と交差する方向に載置して搬送するよう構成している。そのため、搬送コンベア２には短い距離に多くの箱ｈを載置することが可能になり、荷受作業や出荷作業の作業能率を向上させることが可能になる。また、検査用搬送コンベア３の幅は箱ｈの短手側の幅Ｎと略同じに形成している。すなわち、箱ｈの短手側を検査用搬送コンベア３の搬送方向ｘと交差する方向に載置して搬送するよう構成している。そのため、検査者Ｐは箱ｈ内の長手方向の幅Ｍに沿って収容されている花卉ｆの状態を花部から根元部まで時間をかけて順に目視することができるため、等級等の誤認識を低減することができる。また、搬送される箱ｈの向きが反対で搬送されても検査者Ｐと花卉ｆの距離は変わらないため、目視し難くなることを防止することができる。
【００２２】
本実施の形態については荷受作業を行なっている時に出荷作業を行なってもよい。すなわち、荷受けされた箱ｈと出荷される箱ｈとをランダムに搬送コンベア２の載置部２ａに載置しても、荷受された箱ｈは荷受用バーコード読み取り機１１で荷受用バーコードｋの情報を読み込まれて検査用搬送コンベア３に搬送され、出荷される箱ｈは出荷用バーコード読み取り機９で出荷用バーコードｊの情報を読み込まれ出荷用搬送コンベア１０に搬送される。そのため、作業能率の良い集出荷施設にすることができるものである。なお、荷受用バーコード読み取り機１１と出荷用バーコード読み取り機９は搬送コンベア２の搬送方向で左右反対側になるようそれぞれ設けることで、荷受用バーコードｋと出荷用バーコードｊとを誤って混同して読み込みを防止することができるものである。
【００２３】
また、出荷用バーコードｊで管理できるため、保管室Ｄに梱包された箱ｈをランダムに入れても出荷時には出荷用バーコードｊの情報に基づいた所定の出荷用搬送コンベア１０に搬送することができるため、箱ｈの運搬作業の能率を向上させることができる。
【００２４】
本実施の形態のように梱包作業を終えた箱を一度保管室Ｄに保管してから出荷する形態のシステムの場合に、荷受用バーコードｋと出荷用バーコードｊを使用することで、荷受作業及び出荷作業の両方を円滑に行なうことができる。
【００２５】
２２は延長コンベアで、出荷先が多い場合等の理由で出荷用搬送コンベア１０の本数を追加するためのものであり、切替え装置２３により搬送コンベア２から切り替え搬送できる構成としている。
【００２６】
図６は別実施例の花卉の集出荷施設である。
この集出荷施設は生産者が花卉を持ち込み、施設内で選別・箱詰・梱包を行なう第一搬送ライン３０と、生産者が箱詰めしたもの持ち込んだのを検査・梱包をする第二搬送ライン３１を備えたものである。なお、第二搬送ライン３１は建屋ｇの内壁近傍に沿って設置され、第一搬送ライン３０は第二搬送ライン３１より建屋ｇ内側にあって第二搬送ライン３１と並列して設置されている。
【００２７】
３２は生産者が持ち込んだ花卉ｆを選別する選花場で、３２は花卉ｆを箱詰めする箱詰め場で、箱詰め場３２で箱詰めされた箱ｆは第一搬送ライン３１に運ばれ、検査・梱包を経て保管室Ｄに保管され、出荷日に出荷用搬送コンベア１０から出荷される構成である。
【産業上の利用可能性】
【００２８】
本願発明の集出荷施設は花卉の場合について記載しているが、生産者が箱詰めして施設に持参するものを検査して梱包して出荷する形態の集出荷施設なら果実、野菜その他のものに適用できる。
【図面の簡単な説明】
【００２９】
【図１】集出荷施設の平面図
【図２】図１の集出荷施設の荷受作業の工程を示す図
【図３】図１の集出荷施設の出荷作業の工程を示す図
【図４】梱包された状態の箱を示す図
【図５】花卉が収容された状態を示す図
【図６】別実施例の集出荷施設の平面図
【図７】図６の集出荷施設の荷受作業の工程を示す図
【図８】図６の集出荷施設の出荷作業の工程を示す図
【符号の説明】
【００３０】
ｈ  箱
２  搬送コンベア
１０  出荷用搬送コンベア
３  検査用搬送コンベア
ｘ  検査用搬送コンベア３の搬送方向
ｖ  搬送コンベア２の搬送方向
ｈ  箱
【図１】
2007320698.tif 000003
【図２】
2007320698.tif 000004
【図３】
2007320698.tif 000005
【図４】
2007320698.tif 000006
【図５】
2007320698.tif 000007
【図６】
2007320698.tif 000008
【図７】
2007320698.tif 000009
【図８】
2007320698.tif 000010